(57)【特許請求の範囲】
【請求項１】
カラー複写機によって複写される際に元の色と同色で出力され、このカラー複写機により読み取り可能な最小のドットサイズより大きい大ドットにより構成される非変色画像と、前記カラー複写機によって複写される際に元の色とは異なる色で出力され、このカラー複写機により読み取り可能な最小のドットサイズより大きい大ドット及びこのカラー複写機により読み取り可能な最小のドットサイズより小さい小ドットとにより構成される変色画像とを含んでなる複写画像を生成する複写画像生成手段と、
この複写画像生成手段により生成された複写画像をカラー印刷装置によって印刷させる制御手段と、
を備えることを特徴とする印刷制御装置。
【請求項２】
前記複写画像生成手段は、前記非変色画像を構成する大ドットの色と前記変色画像を構成する大ドットの色とが同色であり、かつ、前記変色画像を構成する小ドットの色が前記大ドットとは異なる色の複写画像を生成することを特徴とする請求項１記載の印刷制御装置。
【請求項３】
前記複写画像生成手段は、前記大ドットの色よりも明度の高い色の前記小ドットを含んで構成される複写画像を生成することを特徴とする請求項２記載の印刷制御装置。
【請求項４】
前記複写画像生成手段は、前記大ドットとして、前記大ドットより小さなドットを複数集合させた集合体を含んで構成される複写画像を生成することを特徴とする請求項１から３のいずれかに記載の印刷制御装置。
【請求項５】
前記複写画像生成手段は、前記小さなドットは少なくとも２つの異なる色のドットを含む前記集合体を含んで大ドットとして構成される複写画像を生成することを特徴とする請求項４記載の印刷制御装置。
【請求項６】
コンピュータを、
カラー複写機によって複写される際に元の色と同色で出力され、このカラー複写機により読み取り可能な最小のドットサイズより大きい大ドットにより構成される非変色画像と、前記カラー複写機によって複写される際に元の色とは異なる色で出力され、このカラー複写機により読み取り可能な最小のドットサイズより大きい大ドット及びこのカラー複写機により読み取り可能な最小のドットサイズより小さい小ドットとにより構成される変色画像とを含んでなる複写画像を生成する複写画像生成手段、
この複写画像生成手段により生成された複写画像をカラー印刷装置によって印刷させる制御手段、
として機能させるためのプログラム。
【発明の詳細な説明】
【０００１】
本発明は、複写することで画像変化する複写画像を印刷させる印刷制御装置、及び、その制御プログラムに関する。
【０００２】
【従来の技術】
金券や証明書等の重要な帳票には、複写によって画像変化させるようにしたものがあり、この場合、複写を牽制する複写牽制画像が印刷されることが多い。複写牽制画像としては、複写機による複写時に消失する消失画像と、複写可能な残存画像とが組み合わされたものが知られている。消失画像と残存画像とを組み合わせて用いると、複写によって原本の帳票では視認できない文字や図形が複製物上に浮かび上がる複写牽制画像や、原本の帳票では視認できた文字や図形が複写によって消失する複写牽制画像を作成することができる。この複写牽制画像付きの帳票は、複写機で複写すると原本とは明らかに違う複製物が出力されることから、不正な複写を牽制する効果が期待されている。
【０００３】
従来、複写牽制画像付きの帳票は、予め複写牽制画像が印刷された用紙に各種事項を印刷することで作成されていたが、最近では、ページプリンタによって無地の用紙に複写牽制画像を印刷できるようになり、ユーザが所望のデザインの複写牽制画像を生成して帳票に印刷できるようになった。また、カラープリンタの普及と高解像度化により、複写画像をカラーで印刷できるようになった。
【０００４】
【発明が解決しようとする課題】
しかしながら、複写牽制画像をカラー印刷する場合であっても、これまでモノクロ印刷していた複写牽制画像を黒以外の色で印刷するだけであり、複写牽制画像の一部が複写されないことによる視覚的効果しかなかった。このため、様々な色を用いて新たな視覚的効果を生む複写牽制画像のニーズが高まっていた。
【０００５】
本発明の課題は、複写画像をカラー印刷させる印刷制御装置において、多様な色を用い、格別の視覚的効果を生む複写画像を印刷できるようにすることである。
【０００６】
【課題を解決するための手段】
本発明の印刷制御装置は、カラー複写機によって複写される際に元の色と同色で出力され、このカラー複写機により読み取り可能な最小のドットサイズより大きい大ドットにより構成される非変色画像と、前記カラー複写機によって複写される際に元の色とは異なる色で出力され、このカラー複写機により読み取り可能な最小のドットサイズより大きい大ドット及びこのカラー複写機により読み取り可能な最小のドットサイズより小さい小ドットとにより構成される変色画像とを含んでなる複写画像を生成する複写画像生成手段と、この複写画像生成手段により生成された複写画像をカラー印刷装置によって印刷させる制御手段と、を備えることを特徴とする。
【０００９】
【発明の実施の形態】
以下、図を参照して本発明の実施の形態を詳細に説明する。
【００１０】
［第１の実施の形態］
まず、構成を説明する。
図１は、本発明を適用した実施の形態における帳票出力装置１の構成を示すブロック図である。図１に示すように、帳票出力装置１は、ＣＰＵ（Central Processing Unit ）２、ＲＯＭ（Read Only Memory）３、ＲＡＭ（Random Access Memory）４、記憶装置５、印刷装置６、表示部７、入力部８および伝送制御部９を備えて構成され、各部はバス１０により接続されている。
ここで、ＣＰＵ２は、請求項に記載の複写画像生成手段および制御手段の機能を有する。
【００１１】
ＣＰＵ２は、記憶装置５に格納されたシステムプログラムや各種アプリケーションプログラムを読み出してＲＡＭ４内の図示しないプログラム格納エリアに展開し、これら各プログラムに基づく各種処理を実行し、処理結果をＲＡＭ４内のワークエリア（図示略）に一時的に格納するとともに表示部７に表示する。また、ＣＰＵ２は、入力部８から入力された操作信号に基づいて、前記処理結果を記憶装置５における指示された保存先に保存する。
【００１２】
具体的には、ＣＰＵ２は、記憶装置５内の業務アプリケーションファイル５ａを読み出して実行し、請求書や見積書の作成等、入力指示に対応する各種業務処理を実行する。そして、ＣＰＵ２は、上記業務処理で作成されたデータをＲＡＭ４内の印刷データメモリ４１ａに格納する。
また、ＣＰＵ２は、上記業務処理により作成されたデータや入力部８における入力内容等を表示するための表示信号を生成して表示部７へ出力し、表示部７の画面上に表示させる。
【００１３】
また、ＣＰＵ２は、入力部８から入力される指示に従って、後述する印刷処理（図１０参照）を実行し、入力部８から入力される各種条件に基づいて複写牽制画像を生成し、上記業務処理で作成された印刷データと複写牽制画像とを、印刷装置６によって所定の印刷色で用紙に印刷させ、帳票を作成する。
【００１４】
ここで、複写牽制画像とは、複写機による完全な複写が困難な画像であって、複写牽制画像が印刷された印刷物を複写機によって複写すると、原本とは異なる複製物が出力される。本第１の形態における帳票出力装置１では、残存画像と消失画像と称する２種類の画像を含む複写牽制画像を用いる。
残存画像と消失画像は、いずれもカラー印刷される画像であり、残存画像はカラー複写機によって複写した場合に変化しないが、消失画像は、カラー複写機により複写した場合に変色する画像である。これらの残存画像と消失画像とを用いて、背景に残存画像を配し、文字や図形等の消失画像を背景に重ねて配置した複写牽制画像を生成すれば、カラー複写機によって複写した場合に文字や図形だけが変色する印刷物を作成できる。さらに、複写によって消失画像が変色した結果、残存画像と同色となるようにすれば、原本では文字や図形が視認できるが、カラー複写した複製物では視認できなくなる。このため、帳票出力装置１により複写牽制画像が印刷された帳票（印刷物）を複写すると、原本とは著しく異なる複製物が出力されるので、不正な複写を牽制する効果が期待できる。
なお、消失画像は請求項に記載の変色画像に対応し、残存画像は請求項に記載の非変色画像に対応する。
【００１５】
ＣＰＵ２は、上記印刷処理を実行することで、複写牽制画像に用いる文字列に関する文字、フォント、文字サイズ、文字列の角度、文字列の配置状態、および、複写牽制画像に用いる柄の選択指定等、複写牽制画像の生成条件の入力を受け付けて、後述する複写牽制画像生成処理（図１１参照）を実行し、文字列と柄とが配置された複写牽制画像を生成してＲＡＭ４のワークエリアに格納する。
【００１６】
続いて、ＣＰＵ２は、帳票フォームデータファイル５ｃに格納された帳票フォームデータと印刷データファイル５ｄに格納された印刷データとをＲＡＭ４内のフォームデータメモリ４１ｂ及び印刷データメモリ４１ａに格納し、これらを合成して帳票印刷用データを生成し、さらに、ＲＡＭ４に格納された複写牽制画像のデータを上記帳票印刷用データに合成することによって、複写牽制画像付きの帳票を印刷するための合成帳票データを生成し、印刷装置６によって帳票を印刷出力させる。
【００１７】
また、ＣＰＵ２は、上記印刷処理の実行に際して、上記生成条件を入力するための複写牽制画像編集画面７１（図１２参照）を表示部７の画面上に表示させる。
【００１８】
ＲＯＭ３は、上記印刷処理においてＣＰＵ２により参照される文字属性テーブル３１、および、柄画像テーブル３２を、ＣＰＵ２によって読み取り可能な形式で格納する不揮発性のメモリである。
【００１９】
図２は、文字属性テーブル３１の構成例を模式的に示す図である。
図２に示すように、文字属性テーブル３１は、各種の文字について、フォントと文字サイズ毎に、後述する複写牽制画像編集画面７１において各文字をポップアップ表示するか否かを示すポップアップフラグが設定されたテーブルである。
【００２０】
複写牽制画像には、「複写」や「無効」等の文字列が多く用いられる。文字属性テーブル３１には、よく用いられる文字についてポップアップフラグが「１」に設定されており、これらの文字は、後述する複写牽制画像編集画面７１の文字入力部７１２の操作時にポップアップ表示され、簡単な選択操作によって選択可能である。また、図２に示す例では、「複写」や「無効」等、頻繁に用いられる文字列全体を一つの文字とみなすことにより、処理の効率化を図っている。
【００２１】
図３は、柄画像テーブル３２の構成例を模式的に示す図である。
図３に示す柄画像テーブル３２には、柄の名称を示す柄種類に対応づけて、残存柄画像と消失柄画像が格納され、さらに、残存柄画像ドット構成と消失柄画像ドット構成とが設定されている。
【００２２】
柄種類は残存柄画像と消失柄画像の柄の名称であり、後述する複写牽制画像編集画面７１（図１２）において、柄選択部７１６に表示される。
残存柄画像は、後述する複写牽制画像生成処理（図１１）において残存画像を生成する際に利用される所定サイズのカラー画像であって、複写機により複写可能な、比較的大きいサイズのドットのみにより構成される。
また、消失柄画像は、後述する複写牽制画像生成処理（図１１）において消失画像を生成する際に利用される所定サイズのカラー画像であって、複写機により複写可能な比較的大きいサイズのドットと、複写機による複写が不可能な小さいドットから構成される。
【００２３】
残存柄画像ドット構成は、残存柄画像を構成するドットの種類と色を示すものである。また、消失柄画像ドット構成は、消失柄画像を構成するドットの種類と色を示すものである。
例えば、図３に示す柄画像テーブル３２中、「桜柄」の残存柄画像ドット構成は「大：マゼンタ」と設定されているので、残存柄画像はマゼンタ色の大きいドットのみで構成される。また、「桜柄」の消失柄画像ドット構成は「大：マゼンタ、小：シアン」と設定されているので、消失柄画像はマゼンタ色の大きいドットと、シアン色の小さいドットのみで構成される。
【００２４】
なお、柄画像テーブル３２の構成において、残存柄画像ドット構成および消失柄画像ドット構成の項目は必須ではない。柄画像テーブル３２中、残存柄画像は、所定色の大ドットのみにより構成されたカラー画像であり、同様に、消失柄画像は、所定色の大ドットおよび小ドットで構成されたカラー画像であるので、後述する印刷処理（図１０参照）において、ＣＰＵ２は、残存柄画像ドット構成および消失柄画像ドット構成の項目を参照することなく処理を行うことも可能である。ここでは、説明の便宜を兼ねて残存柄画像ドット構成および消失柄画像ドット構成の項目を図示している。
【００２５】
ＲＡＭ４は、ＣＰＵ２により実行される上記システムプログラムや各種アプリケーションプログラムを図示しないプログラム格納領域に展開するとともに、入力部８の操作により入力された入力指示、入力データ、上記プログラムの実行により生じた処理結果等、上記プログラムに係るデータを図示しないワークエリアに一時的に格納する。また、ＲＡＭ４は、帳票を印刷するためのデータを格納する印刷メモリ４１を備えている。
【００２６】
図４は、印刷メモリ４１の構成を模式的に示す図である。図４に示すように、印刷メモリ４１には、印刷データメモリ４１ａ、フォームデータメモリ４１ｂ、合成印刷データメモリ４１ｃの各メモリエリアが形成される。
【００２７】
印刷データメモリ４１ａは、上記業務処理で作成され、帳票に印刷される取引先名や商品名、金額等の印刷データが格納されるメモリエリアである。
【００２８】
フォームデータメモリ４１ｂは、帳票出力装置１により作成される帳票のタイトル、日付記入欄や罫線の印刷位置等、帳票のフォームを示す帳票フォームデータが格納されるメモリエリアである。
【００２９】
合成印刷データメモリ４１ｃは、印刷データメモリ４１ａに格納されるデータと、フォームデータメモリ４１ｂに格納される帳票のフォームに関するデータと、複写牽制画像とを合成して得られる合成帳票データが格納されるメモリエリアである。
【００３０】
記憶装置５は、プログラム、データ等が予め記憶されており、磁気的、光学的記録媒体、若しくは半導体メモリなど、ＣＰＵ２による読み取り・書き込み可能な記憶媒体を備えて構成される。この記憶媒体は、ＣＤ−ＲＯＭ、メモリカード等の可搬型の媒体やハードディスク等の固定的な媒体を含む。また、この記憶媒体に格納するプログラムやデータ等は、その一部若しくは全部をサーバやクライアントからＷＡＮ（Wide Area Network ）、ＬＡＮ（Local Area Network）などのネットワークを介して伝送制御部９から受信する構成にしても良く、更に、記憶媒体５は、ネットワーク上に構築されたサーバやクライアントの記憶媒体であっても良い。
【００３１】
また、この記憶媒体に記憶するプログラム、データ等は、その一部若しくは全部をサーバやクライアント等の他の機器からネットワーク回線等の伝送媒体を介して伝送制御部９から受信して記憶する構成にしても良く、さらに、記憶媒体５はネットワーク上に構築されたサーバの記憶媒体であっても良い。さらに、前記プログラムをネットワーク回線等の伝送媒体を介してサーバやクライアントへ伝送してこれらの機器にインストールするように構成しても良い。
【００３２】
図５は、記憶装置５内のファイル構成を模式的に示す図である。同図に示すように、記憶装置５内には、業務アプリケーションファイル５ａ、プログラムファイル４ｂ、帳票フォームデータファイル５ｃ、印刷データファイル５ｄ、文字繰返し基準領域メモリ５ｅ、文書管理ファイル５ｆ等の各ファイルが記憶されている。なお、印刷データファイル５ｄは、請求項記載の記憶手段の機能を有する。
【００３３】
業務アプリケーションファイル５ａは、ＣＰＵ２により実行される各種アプリケーションプログラムのファイルであり、例えば、見積書や納品書の作成等の各種業務処理を行うためのアプリケーションプログラムを含む。
また、プログラムファイル５ｂは、ＣＰＵ２によって帳票出力装置１の各部を制御するためのシステムプログラム等のファイルである。
【００３４】
帳票フォームデータファイル５ｃは、帳票出力装置１によって作成される帳票のフォームを示す帳票フォームデータを含む。帳票フォームデータとしては、例えば、見積書、納品書、請求書等の各帳票について、罫線や客先名、商品名、金額等の各種情報の印字位置を定めるデータが含まれる。
【００３５】
また、印刷データファイル５ｄは、上記業務処理により作成される印刷データ、例えば取引先名や商品名、金額等のデータを含むファイルである。
【００３６】
文字繰返し基準領域メモリ５ｅは、複写牽制画像中における文字列の配置状態を示すデータを格納し、具体的には、複写牽制画像における文字列の行位置、列位置、行間隔、列間隔、縦歪み、横歪みの各データを格納する。
ここで、文字繰返し基準領域メモリ５ｅに格納されるデータについて図６を参照して説明する。
【００３７】
図６は、複写牽制画像中における文字列の配置状態の例を示す図である。
図６に示す複写牽制画像１００においては、左上隅を基準位置（０，０）とするｘ−ｙ座標軸が設定される。
【００３８】
図中、符号Ｐ１，Ｐ２，Ｐ３，Ｐ４で示す仮想枠は、複写牽制画像１００中に文字を配置する基本的な位置を示すものであり、各仮想枠内に、残存画像としての文字列が配置される。
帳票出力装置１においては、仮想枠Ｐ１，Ｐ２，Ｐ３，Ｐ４の４個の仮想枠を一つの単位として複写牽制画像１００に文字列が配置される。例えば、図６に示す複写牽制画像１００より大きい領域に複写牽制画像を描画する場合、ＣＰＵ２は、仮想枠Ｐ１，Ｐ２，Ｐ３，Ｐ４の４個の仮想枠を領域全体に繰り返し配置することによって、領域全体に残存画像を配置する。
【００３９】
仮想枠Ｐ１，Ｐ２，Ｐ３，Ｐ４のサイズは、後述する印刷処理（図７）で入力される文字のサイズや字数に応じて決定される。また、文字列の角度が入力された場合には、該角度に応じて仮想枠Ｐ１，Ｐ２，Ｐ３，Ｐ４が傾けられる。
【００４０】
そして、文字繰返し基準領域メモリ５ｅに格納される「列位置」は、図６中で左上隅に位置する仮想枠Ｐ１のｘ軸方向の座標位置を示し、「行位置」は、ｙ軸方向の座標位置を示す。また、「列間隔」は、隣り合う仮想枠のｘ軸方向の間隔を示し、「行間隔」は、隣り合う仮想枠のｙ軸方向の間隔を示す。
従って、文字繰返し基準領域メモリ５ｅに格納される「行位置」および「列位置」の値によって複写牽制画像１００における仮想枠Ｐ１の位置が決定され、「行間隔」および「列間隔」の値によって仮想枠Ｐ２，Ｐ３，Ｐ４の各仮想枠の位置が決定される。
【００４１】
また、図６中に一点鎖線によって示す長方形は、仮想枠Ｐ１，Ｐ２，Ｐ３，Ｐ４の初期位置を示しており、この初期位置から各仮想枠Ｐ１，Ｐ２，Ｐ３，Ｐ４を移動させることも可能である。
ここで、いずれかの仮想枠が移動した場合には、４個の仮想枠Ｐ１，Ｐ２，Ｐ３，Ｐ４を頂点とする四角形が常に平行四辺形となるよう、他の各仮想枠が連動して移動される。
【００４２】
具体的には、複写牽制画像１００において、仮想枠Ｐ２が移動した場合には連動して仮想枠Ｐ４も移動し、仮想枠Ｐ３が移動した場合には連動して仮想枠Ｐ４も移動し、仮想枠Ｐ４が移動した場合には、連動して仮想枠Ｐ２，Ｐ３も移動する。
例えば、図６に示す複写牽制画像１００において、仮想枠Ｐ４を符号Ｐ４´で示す位置まで移動した場合、これに連動して、仮想枠Ｐ２が符号Ｐ２´で示す位置へ移動され、仮想枠Ｐ３が符号Ｐ３´で示す位置へ移動される。
【００４３】
なお、仮想枠Ｐ１は、他の仮想枠が移動した場合に連動して移動されることはない。また、仮想枠Ｐ１が移動した場合は、全ての仮想枠Ｐ１，Ｐ２，Ｐ３，Ｐ４が、仮想枠Ｐ１の移動に伴って平行移動する。
【００４４】
そして、複写牽制画像１００における仮想枠が移動した場合には、各仮想枠の初期位置からのずれが「横歪み」および「縦歪み」として文字繰返し基準領域メモリ５ｅに格納される。ここで、「横歪み」はｘ軸方向のずれを示し、「縦歪み」はｙ軸方向のずれを示す。
また、仮想枠Ｐ１が移動した場合、文字繰返し基準領域メモリ５ｅに格納された「行位置」および「列位置」が移動後の値に更新される。
【００４５】
このように、帳票出力装置１においては、文字繰返し基準領域メモリ５ｅに格納される「行位置」、「列位置」、「行間隔」、「列間隔」、「縦歪み」および「横歪み」の各データによって、複写牽制画像中における文字列の配置が決定される。
【００４６】
印刷装置６は、レーザプリンタ、インクジェット式プリンタ、昇華型プリンタ等の印刷方式を採用したカラープリンタであって、例えば、Ｃ（シアン）、Ｍ（マゼンタ）、Ｙ（黄）、Ｋ（黒）、Ｒ（赤）、Ｇ（緑）、Ｂ（青）等の原色の微細なドットを印刷することによって上記原色および中間色を印刷するものであり、ＣＰＵ２の制御に従って、各種帳票を印刷出力する。
【００４７】
表示部７は、ＣＲＴ（Cathode Ray Tube）、ＬＣＤ（液晶表示装置）等の表示画面を備え、ＣＰＵ２から入力される表示信号に従って各種画像を表示する。
【００４８】
入力部８は、文字キー、数字キーや各種機能キーを備えたキー入力装置や、マウス等のポインティングデバイス等を備え、操作に応じて操作信号を生成し、ＣＰＵ２へ出力する。
【００４９】
伝送制御部９は、通信ネットワーク（図示略）を解して、外部機器との通信を行うためのネットワークカード、モデム、ＴＡ（Terminal Adapter）、ルータ等によって構成される。
【００５０】
次に、本第１の実施の形態の動作を説明する。
図７は、本第１の実施の形態において作成される複写牽制画像の構成を拡大して例示する図であり、（ａ）は消失画像の例を示し、（ｂ）は残存画像の例を示し、（ｃ）は消失画像の別の例を示し、（ｄ）は残存画像の別の例を示す。
【００５１】
本第１の実施の形態において作成される複写牽制画像は、複写機によって原稿を読み取る際に検出可能な最小のドットサイズを基準として、上記基準のドットサイズより大きいドットと上記基準のドットサイズよりも小さなドットとにより構成される。
【００５２】
図７（ａ）に示すように、本第１の実施の形態における消失画像は、サイズの異なる２種類のドットにより構成される。図中に示す大ドット１０１は、上記基準のドットサイズより大きなドットであり、小ドット１０２は上記基準のドットサイズよりも小さなドットである。
【００５３】
このため、図７（ａ）に示す消失画像を複写機によって複写すると、小ドット１０２は複写できないため、大ドット１０１のみが複写される。大ドット１０１と小ドット１０２とが異なる色であった場合、原本上では消失画像は大ドット１０１の色と小ドット１０２の色の中間色に見えるが、原本をカラー複写機で複写して得られる複製物上では、消失画像の色は大ドット１０１の色となる。つまり、図７（ａ）に示す消失画像は、カラー複写機で複写することで変色する。
【００５４】
一方、図７（ｂ）に示すように、残存画像は大ドット１０１のみにより構成される。大ドット１０１は複写機により複写可能であるから、残存画像については、カラー複写機で複写しても原本と複写物との間に差異は生じない。
【００５５】
そして、図７（ａ）に示す大ドット１０１の色と、図７（ｂ）に示す大ドット１０１の色を同色とし、小ドット１０２の色を、大ドット１０１とは異なる色にした場合、原本の状態では消失画像と残存画像は異なる色に見えるが、カラー複写機で複写すると、消失画像が変色して残存画像と同色になる。このため、原本上で消失画像と残存画像とを見分けることは容易であるが、複製物上では消失画像と残存画像とを見分けることは困難である。
【００５６】
図８は、図７（ａ）〜（ｄ）に示す消失画像と残存画像とを用いた複写牽制画像の一例を示す図である。
図８に示す複写牽制画像は、所定の用紙に、残存画像として一様な柄を含む背景が印刷され、消失画像として「原本」という文字列が印刷された画像である。「原本」の文字列（消失画像）は背景（残存画像）とは異なる色で印刷されており、原本の状態では容易に視認できる。この図８に示す複写牽制画像をカラー複写機によって複写すると、「原本」という文字列が変色して背景と同色になるので、「原本」という文字列が消失したかのように見える。従って、原本と複製物を容易に見分けることができ、複写を牽制する効果が期待できる。
【００５７】
なお、図７（ａ）および（ｂ）に示す消失画像と残存画像とは、サイズの異なる大ドット１０１と小ドット１０２を用いるほか、同じサイズのドットのみにより構成することも可能である。
例えば、図７（ｃ）に示すように、大ドット１０１に代えて、小ドット１０２と同サイズの複数のドットを近接して配置した大ドット１０３を用いれば、消失画像と残存画像全体を同サイズのドットで構成できる。この場合、印刷装置６によって複数サイズのドットを打ち分ける必要が無くなるので、帳票出力装置１を容易に実現できる。
【００５８】
さらに、図７（ｃ）および（ｄ）に示すように、小ドット１０２と同サイズの複数のドットによって大ドット１０３を構成した場合、大ドット１０３の色を中間色とすることができる。
すなわち、一般的なカラープリンタでは、原色のインクやトナーにより多数のドットを印刷し、各色のドットのサイズや密度の比を調整することによって中間色を印刷するので、１個の大ドット１０１を印刷する色としては原色を用いることになる。しかしながら、図７（ｃ）および（ｄ）に示す大ドット１０３を印刷する場合、大ドット１０３を構成する複数のドットの印刷色を各々指定すれば、複数の原色で大ドット１０３を印刷できる。この場合、大ドット１０３の色は、印刷に使用された原色の中間色となるので、残存画像においても中間色を用いることができる。
【００５９】
また、図７（ａ）複写牽制画像が印刷された帳票（印刷物）をモノクロ複写機によって複写した場合、大ドット１０１は、もとの色の明度に応じたグレー色で複製物に印刷されるが、小ドット１０２は、モノクロ複写機によっても複写できない。従って、帳票出力装置１により複写牽制画像が印刷された帳票（印刷物）をモノクロ複写機によって複写した場合、消失画像は、もとの色とは異なる明度のグレーで印刷される。さらに、モノクロ複写機で複写すると、消失画像と残存画像は、いずれも同じ明度のグレーで印刷されるので、複写を牽制する効果が期待できる。
【００６０】
また、図７（ａ）〜（ｄ）に示す各画像において、大ドット１０１，１０３および小ドット１０２の色は各々任意に決定することも可能であるが、小ドット１０２は複写時に完全に消失することが望ましいので、小ドット１０２には、大ドット１０１，１０３よりも複写されにくい色を用いることが好ましい。
【００６１】
複写牽制画像に用いる各色が複写機によって複写される際に消失しやすいか否かについては、明度をもとに判断することができる。帳票出力装置１においては、印刷装置６による印刷色をＲＧＢデジタルデータとして処理するので、各色の明度は、各色のデータ表現形式をＲＧＢからＹＩＱに変換して、Ｙ値をもとに判断することができる。
ここで、ＲＧＢデジタルデータをＹＩＱデジタルデータに変換するための演算式の一例を下記式（１）として示す。
【００６２】
【数１】
Ｙ＝０．３０Ｒ＋０．５９Ｇ＋０．１１Ｂ
Ｉ＝０．６０Ｒ−０．２８Ｇ−０．３２Ｂ      ……（１）
Ｑ＝０．２１Ｒ−０．５２Ｇ＋０．３１Ｂ
【００６３】
一般的なカラープリンタで最小のドットを印刷する際に利用されるＲ（赤）、Ｇ（緑）、Ｂ（青）、Ｃ（シアン）、Ｍ（マゼンタ）、Ｙ（黄）、Ｋ（黒）の７色と、白無地用紙に無色（色なし）で印刷する場合の白を加えた８色について、明度をグラフ化したものを図９に示す。
【００６４】
図９中に示すグラフにおいて、縦軸は明度を示し、横軸上に各色を配置している。図９に示すように、上記の８色を明度が高い色から順に並べると、白、黄、シアン、緑、マゼンタ、赤、青、黒の順となる。
【００６５】
図７に示す小ドット１０２は、カラー複写機で複写する際に複写されない色にすることが好ましいので、大ドット１０１，１０３および小ドット１０２の配色は、図９に示す明度の順位に基づいて決定すれば良い。本第１の実施の形態では、残存画像と消失画像のドット構成は柄画像テーブル３２（図３）に設定された残存柄画像と消失柄画像により決定されるので、残存柄画像と消失柄画像におけるドットの配色を、図９に示す明度の順位に基づくものとすれば、好ましい複写牽制画像を生成することができる。
【００６６】
図１０は、ＣＰＵ２によって実行される印刷処理を示すフローチャートである。また、図１２は、図１０に示す印刷処理の実行中に表示部７に表示される複写牽制画像編集画面７１の一例を示す図である。
【００６７】
図１２に示す複写牽制画像編集画面７１には、複写牽制画像の生成条件を入力するための文字入力部７１２、フォント選択部７１３、文字サイズ選択部７１４、文字角度入力部７１５、および柄選択部７１６が配置される。
【００６８】
文字入力部７１２では、複写牽制画像として用いる文字の直接入力、若しくは、文字入力部７１２中のポップアップボタンの操作に応じて一覧表示される候補からの選択入力が可能である。なお、ポップアップボタンの操作に応じて一覧表示される候補は、図２の文字属性テーブル３１においてポップアップフラグが「１」に設定された文字である。
【００６９】
フォント選択部７１３では、複写牽制画像として用いる文字の文字フォントを、ポップアップボタンの操作に応じて一覧表示される候補から選択入力することができる。
【００７０】
文字サイズ選択部７１４では、複写牽制画像として用いる文字の文字サイズを、ポップアップボタンの操作に応じて一覧表示される候補から選択入力することができる。また、文字角度入力部７１５では、複写牽制画像における文字の角度を入力できる。
【００７１】
さらに、柄選択部７１６では、複写牽制画像として用いる柄を、ポップアップボタンの操作に応じて一覧表示される柄の候補から選択入力することができる。なお、ポップアップボタンの操作に応じて一覧表示される柄の候補は、柄画像テーブル３２に格納された柄種類に従う。
【００７２】
また、複写牽制画像編集画面７１には、文字入力部７１２、フォント選択部７１３、文字サイズ選択部７１４、文字角度入力部７１５および柄選択部７１６における入力内容の確定を指示する確定指示ボタン７１７が配置されている。
【００７３】
また、複写牽制画像編集画面７１にはプレビュー部７１１が配置される。プレビュー部７１１には、確定指示ボタン７１７の操作により確定された入力内容に応じてＣＰＵ２によって生成された複写牽制画像が概略表示される。プレビュー部７１１に表示される複写牽制画像中には、複数の複写牽制文字７１８が所定位置に配置されている。
さらに、入力部８が有するポインティングデバイスの操作等によって、プレビュー部７１１に表示された複写牽制文字７１８を移動させることにより、複写牽制画像における複写牽制文字７１８の配置状態を編集することが可能である。
【００７４】
ＣＰＵ２は、図１０に示す印刷処理を開始すると、まず、複写牽制画像編集画面７１を表示部７の画面上に表示させる（ステップＳ１１）。
次いで、ＣＰＵ２は、複写牽制画像編集画面７１の文字入力部７１２、フォント選択部７１３、文字サイズ選択部７１４、文字角度入力部７１５および柄選択部７１６の各部において入力が行われ、確定指示ボタン７１７の操作により入力内容が確定されると、文字入力部７１２における文字入力を受け付けてＲＡＭ４内のワークエリアに一時的に格納し（ステップＳ１２）、同様に、フォント選択部７１３における文字フォントの選択入力（ステップＳ１３）、文字サイズ選択部７１４における文字サイズの入力（ステップＳ１４）、文字角度入力部７１５における文字列の角度の入力（ステップＳ１５）、柄選択部７１６における入力（ステップＳ１６）をそれぞれ受け付けて、ＲＡＭ４内のワークエリアに格納する。
【００７５】
また、ＣＰＵ２は、ＲＯＭ３に格納された柄画像テーブル３２から、柄選択部７１６の入力内容に該当する残存柄画像および消失柄画像を読み出して、プレビュー部７１１の全体に残存柄画像を展開配置する。さらに、ステップＳ１２〜Ｓ１４で受け付けた入力内容で指定される文字列を、消失柄画像と同色で構成して複写牽制文字７１８を生成し、記憶装置５内の文字繰返し基準領域メモリ５ｅに格納されたデータおよびステップＳ１５で受け付けた入力内容に基づいて複写牽制文字７１８を配置することによって、プレビュー用の複写牽制画像を生成し、プレビュー部７１１に表示する（ステップＳ１７）。
【００７６】
ここで、ＣＰＵ２は、入力部８が有するポインティングデバイスの操作によって、プレビュー部７１１における複写牽制文字７１８の移動が指示されると、指示内容を取得して文字繰返し基準領域メモリ５ｅに格納されたデータを更新し、プレビュー部７１１における表示を更新する（ステップＳ１８）。
【００７７】
さらに、ＣＰＵ２は、入力部８が有するポインティングデバイスの操作によって、プレビュー部７１１における複写牽制文字７１８の角度の変更が指示されると、当該指示を受け付けて（ステップＳ１９）、指示に従って文字繰返し基準領域メモリ５ｅに格納されたデータを更新し、プレビュー部７１１における表示を更新する（ステップＳ２０）。
【００７８】
そして、ＣＰＵ２は、複写牽制画像生成処理を実行して印刷装置６により印刷するための複写牽制画像を生成し（ステップＳ２１）、ＲＡＭ４のワークエリアに一時的に記憶する（ステップＳ２２）。なお、ステップＳ２１の複写牽制画像生成処理については後述する。
【００７９】
さらに、ＣＰＵ２は、印刷装置６により印刷すべき帳票に係る帳票フォームデータと印刷データを、各々帳票フォームデータファイル５ｃ、印刷データファイル５ｄから読み出して合成することにより、帳票印刷用データを生成する（ステップＳ２３）。そして、ＣＰＵ２は、ステップＳ２３で生成した帳票印刷用データと、ステップＳ２２で生成した複写牽制画像とを合成して合成帳票データを生成し（ステップＳ２４）、生成した合成帳票データに基づいて、印刷装置６によって帳票の印刷を実行させる（ステップＳ２５）。
【００８０】
図１１は、図１０のステップＳ２１に示す複写牽制画像生成処理を詳細に示すフローチャートである。
【００８１】
複写牽制画像生成処理において、ＣＰＵ２は、ステップＳ１６（図１０）で受け付けた入力内容に基づいて柄画像テーブル３２から読み出した残存柄画像を印刷領域全体に展開配置して、残存画像用のドットを描画する（ステップＳ３１）。ここで、柄画像テーブル３２に格納された残存柄画像は印刷領域に展開するための最小構成単位であるから、ＣＰＵ２は、ステップＳ３１において、残存柄画像を印刷領域全体に並べて配置する。
なお、印刷領域とは、帳票上で複写牽制画像を印刷すべき領域に合わせて設定された画像展開用の領域である。
【００８２】
次に、ＣＰＵ２は、ステップＳ１２〜Ｓ１４（図１０）で受け付けた入力内容により指定される文字列を、文字繰返し基準領域メモリ５ｅに格納されたデータおよびステップＳ１５（図１０）で受け付けた入力内容に基づいて印刷領域全体に配置し、さらに、ステップＳ３１で描画されたドットとのＸＯＲ（排他的論理和）をとって、残存画像を描画する（ステップＳ３２）。すなわち、ＣＰＵ２は、印刷領域全体に残存画像用のドットを描画し、文字列と重なる位置においてはドットを消去する。これにより、文字列に重なる部分が型抜きされた残存画像が得られる。
【００８３】
そして、ＣＰＵ２は、ステップＳ３２で得られた残存画像をＲＡＭ４内のワークエリアに一時的に記憶し、印刷領域をクリアする（ステップＳ３３）。
【００８４】
続いて、ＣＰＵ２は、ステップＳ１６（図１０）で受け付けた入力内容に基づいて柄画像テーブル３２から読み出した消失柄画像を印刷領域全体に展開配置して、消失画像用のドットを描画する（ステップＳ３４）。ここで、柄画像テーブル３２に格納された消失柄画像は、印刷領域に展開するための最小構成単位であるから、ＣＰＵ２は、ステップＳ３４において、消失柄画像を印刷領域全体に並べて配置する。
【００８５】
次に、ＣＰＵ２は、ステップＳ１２〜Ｓ１４（図１０）で受け付けた入力内容により指定される文字列を、文字繰返し基準領域メモリ５ｅに格納されたデータおよびステップＳ１５（図１０）で受け付けた入力内容に基づいて印刷領域全体に配置し、さらに、ステップＳ３４で描画された印刷領域に対して重ね合わせて、描画されたドットと文字列とのＡＮＤ（論理積）をとってドットを消去し、消失画像を生成する（ステップＳ３５）。すなわち、ＣＰＵ２は、文字列の像と重なる位置に描画されたドットのみを残して、他のドットを消去する。
これにより、文字列と同じ形に切り取られた消失画像が得られる。
【００８６】
そして、ＣＰＵ２は、ステップＳ３５で得られた残存画像をＲＡＭ４内のワークエリアに一時的に記憶する（ステップＳ３６）。
【００８７】
その後、ＣＰＵ２は、ＲＡＭ４のワークエリアに格納された残存画像と消失画像とを重ねあわせ、残存画像と消失画像とのＯＲ（論理和）をとることによって複写牽制画像を生成する（ステップＳ３７）。これにより、背景となる残存画像と文字列の消失画像とを含む複写牽制画像が作成される。
【００８８】
続いて、図１０に示す印刷処理によって印刷出力される帳票として、見積書を例に挙げて説明する。
図１３は、帳票出力装置１によって見積書を作成する場合に、記憶装置５内の帳票フォームデータファイル５ｃに格納される帳票フォームデータの例を示す図である。図１３に示す帳票フォームデータには、帳票の罫線位置や日付の印刷位置等、見積書の形式に関するデータが含まれている。
【００８９】
図１４には、記憶装置５の印刷データファイル５ｄに含まれる印刷データを示す。図１４に示す印刷データには、商品名や価格等、業務アプリケーションにより生成され、帳票に印刷されるべきデータが含まれている。
【００９０】
図１３に示す帳票フォームデータと、図１４に示す印刷データとを合成することにより、図１５に示す帳票印刷用データが得られる。この帳票印刷用データをそのまま印刷すれば一般的な見積書が作成できる。
【００９１】
図１６には、見積書作成時に生成される複写牽制画像の例を示す。図１６に示す複写牽制画像は、印刷領域１０４の全体に配された残存画像１０５と、「原本」という文字列の消失画像１０６とによって構成される。
【００９２】
そして、図１５に示す帳票印刷用データと、図１６に示す複写牽制画像とを合成すると、図１７に示すような合成帳票データが得られる。
図１７に示す合成帳票データでは、見積書において、商品名や価格等が記載される領域にのみ複写牽制画像が配されている。このため、図１７に示す合成帳票データによれば、商品名や価格等のデータが記載された部分について、複写を牽制することができる。
【００９３】
図１７に示す合成帳票データを印刷装置６によって印刷した帳票を、複写機によって複写すると、図１８に示すように、消失画像として印刷されていた「原本」の文字列が消失する。従って、複写機による複写では、帳票出力装置１により作成された帳票の原本とは全く異なる複写しか得られないため、不正な複写を牽制できる。
【００９４】
以上のように、本発明を適用した第１の実施の形態によれば、複写牽制画像を作成する際に、複写機により複写可能なサイズの大ドットと、複写機によって複写が困難なサイズの小ドットとを用い、大ドットの色と小ドットの色を異なる色とすることで、複写機による複写の際に変色する消失画像と、複写しても色が変わらない残存画像とによってなる複写牽制画像を作成し、印刷装置６によって印刷するので、作成された複写牽制画像は、複写機による複写によって小ドットのみが消失する画像となる。このため、帳票出力装置１によって作成された帳票をカラー複写機によって複写すると、小ドットが消失することによって消失画像で構成された部分が変色し、従来には無い視覚的効果を生み出すことで、複写を強く牽制することができる。
【００９５】
また、モノクロ複写機によって複写した場合であっても、小ドットが消失することによって消失画像で構成された部分の明度が変化するので、帳票出力装置１で作成された原本の帳票（印刷物）を複写機により複写すると、複製物は原本とは全く異なるものとなり、複写を強く牽制する効果が期待できる。
【００９６】
特に、消失画像に含まれる大ドットと残存画像に含まれる大ドットとを同色にすれば、複写機による複写後は、消失画像と残存画像は全く同じ状態となって、視覚的に識別できなくなる。従って、帳票出力装置１によれば、原本の帳票（印刷物）では明瞭に視認できた消失画像が複写後に消失するような複写牽制画像を作成でき、より強く複写を牽制する効果が期待できる。
【００９７】
また、作成された複写牽制画像において、消失画像の色は大ドットの色と小ドットの色との中間色として見える。すなわち、帳票出力装置１によれば、原色に加えて中間色を利用した複写牽制画像を作成できるので、複写牽制画像のデザインの自由度を高めることができる。
【００９８】
さらに、消失画像および残存画像のドット構成として、図７（ｃ）および（ｄ）に示すように、複数の小さなドットによってなる大ドットを用いれば、大ドットの印刷に複数の原色を用いることができる。これにより、残存画像においても中間色を用いることができるので、複写牽制画像のデザインの自由度を、より一層高めることができる。
【００９９】
なお、上記第１の実施の形態においては、消失画像として文字列を用いるものとして説明したが、本発明はこれに限定されるものではなく、各種の柄や図形を用いるようにしても良い。また、残存画像の柄についても制限はなく、各種の曲線や直線、図形、文字等を組み合わせた種々の意匠を用いることが可能である。
【０１００】
さらに、残存画像の配置状態を編集する手法として、図６に示す４個の仮想枠Ｐ１，Ｐ２，Ｐ３，Ｐ４を基準とする手法を示したが、本発明はこれに限定されず、その他、帳票出力装置１の各部の具体的な構成等の細部構成については、適宜変更可能であることは勿論である。
【０１０１】
また、上記第１の実施の形態においては、残存画像と消失画像とに各々含まれる大ドットを同じサイズとし、複写後に消失画像と残存画像が同一の状態になる例について説明したが、本発明はこれに限定されず、消失画像と残存画像のドットの構成を変えることによって、複写後に消失画像と残存画像が異なる状態になるようにしても良い。
【０１０２】
例えば、消失画像における大ドットを無色とすれば、消失画像は残存画像のドットよりも小さいドットのみにより構成されることとなり、複写後は、残存画像が消失画像よりも際だって濃く印刷される。さらに、原本の帳票（印刷物）上において、消失画像の色と残存画像の色とが同色に見えるように各ドットの配色を調整すれば、原本の帳票では視認できない文字や図形が複写後に浮かび上がるようにすることも可能である。また、例えば、残存画像を無色とすれば、複写によって全体的に変色する複写牽制画像を作成することができる。
【０１０３】
さらに、上記第１の実施の形態においては、柄画像テーブル３２に格納された残存柄画像と消失柄画像は、すでに柄とドットの配色とが決定されたものとしたが、本発明はこれに限定されるものではなく、ユーザの操作によって指定された配色と柄とをその都度組み合わせて残存柄画像と消失柄画像を生成することも可能である。以下、この例について第２の実施の形態として説明する。
【０１０４】
［第２の実施の形態］
図１９は、本発明を適用した第２の実施の形態においてＲＯＭ３に格納される柄テーブル３３の構成を模式的に示す図である。また、図２０は、ＲＯＭ３に格納される配色テーブル３４の構成を模式的に示す図である。
本第２の実施の形態においては、上記第１の実施の形態における柄画像テーブル３２（図３）に代えて、柄テーブル３３および配色テーブル３４をＲＯＭ３に格納する構成とし、その他の各部の構成については、上記第１の実施の形態と同一の構成によってなるので、同符号を付して説明を省略する。
【０１０５】
図１９に示す柄テーブル３３には、柄種類と柄データとが対応づけて格納される。柄データは、白黒二値で表現された所定サイズの画像データであって、各種の柄が配されている。また、柄種類は、各柄データに含まれる柄の名称を示す。
【０１０６】
また、図２０に示す配色テーブル３４には、残存柄画像に用いるドットの配色を定める残存柄画像色と、消失柄画像に用いるドットの配色を定める消失柄画像色との各項目についてデータが設定され、残存柄画像色と消失柄画像色には配色の番号が付されている。
例えば、配色の番号「１」が付された残存柄画像色には、残存柄画像をマゼンタ色の大ドットで構成することを示すデータが設定され、消失柄画像色には、消失柄画像をマゼンタ色の大ドットとシアン色の小ドットで構成することを示すデータが設定されている。
【０１０７】
図２１は、本発明を適用した第２の実施の形態における帳票出力装置１により実行される印刷処理を示すフローチャートである。また、図２４は、図２１に示す処理の実行中に表示部７に表示される複写牽制画像編集画面７２の一例を示す図である。
【０１０８】
図２４に示す複写牽制画像編集画面７２には、上記第１の実施の形態における複写牽制画像編集画面７１（図１２）と同様に、文字入力部７１２、フォント選択部７１３、文字サイズ選択部７１４、文字角度入力部７１５、柄選択部７１６および確定指示ボタン７１７が配置される。
【０１０９】
さらに、複写牽制画像編集画面７２には、複写牽制画像の色を選択入力するための色選択部７２１が配置されている。色選択部７２１においては、ポップアップボタンの操作に応じて一覧表示される色の候補の中から、任意の色を選択入力することができる。なお、ポップアップボタンの操作に応じて一覧表示される色の候補は、配色テーブル３４の内容に従う。
【０１１０】
ＣＰＵ２は、図２１に示す印刷処理を開始すると、まず、複写牽制画像編集画面７２を表示部７の画面上に表示させる（ステップＳ４１）。
次いで、ＣＰＵ２は、複写牽制画像編集画面７１の文字入力部７１２、フォント選択部７１３、文字サイズ選択部７１４、文字角度入力部７１５および柄選択部７１６の各部において入力が行われ、確定指示ボタン７１７の操作により入力内容が確定されると、文字入力部７１２における文字入力を受け付けてＲＡＭ４内のワークエリアに一時的に格納し（ステップＳ４２）、同様に、フォント選択部７１３における文字フォントの選択入力（ステップＳ４３）、文字サイズ選択部７１４における文字サイズの入力（ステップＳ４４）、文字角度入力部７１５における文字列の角度の入力（ステップＳ４５）、柄選択部７１６における入力（ステップＳ４６）、色選択部７２１における入力（ステップＳ４７）をそれぞれ受け付けて、ＲＡＭ４内のワークエリアに格納する。
【０１１１】
ここで、ＣＰＵ２は、ＲＯＭ３に格納された柄テーブル３３から、柄選択部７１６の入力内容に該当する柄データを読み出すとともに、ＲＯＭ３に格納された配色テーブル３４から、色選択部７２１の入力内容に該当する残存柄画像色および消失柄画像色のデータを読み出して、残存柄画像と消失柄画像を生成する柄画像生成処理を実行する（ステップＳ４８）。この柄画像生成処理については後述する。
【０１１２】
そして、ステップＳ４８で生成された残存柄画像をプレビュー部７１１の全体に展開配置し、さらに、ステップＳ１２〜Ｓ１４で受け付けた入力内容で指定される文字列を、ステップＳ４８で生成された消失柄画像と同色で構成して複写牽制文字７１８を生成し、記憶装置５内の文字繰返し基準領域メモリ５ｅに格納されたデータおよびステップＳ１５で受け付けた入力内容に基づいて複写牽制文字７１８を配置することによって、プレビュー用の複写牽制画像を生成し、プレビュー部７１１に表示する（ステップＳ４９）。
【０１１３】
ここで、ＣＰＵ２は、入力部８が有するポインティングデバイスの操作によって、プレビュー部７１１における複写牽制文字７１８の移動が指示されると、指示内容を取得して文字繰返し基準領域メモリ５ｅに格納されたデータを更新し、プレビュー部７１１における表示を更新する（ステップＳ５０）。
【０１１４】
さらに、ＣＰＵ２は、入力部８が有するポインティングデバイスの操作によって、プレビュー部７１１における複写牽制文字７１８の角度の変更が指示されると、当該指示を受け付けて（ステップＳ５１）、指示に従って文字繰返し基準領域メモリ５ｅに格納されたデータを更新し、プレビュー部７１１における表示を更新する（ステップＳ５２）。
【０１１５】
そして、ＣＰＵ２は、複写牽制画像生成処理を実行して印刷装置６により印刷するための複写牽制画像を生成し（ステップＳ５３）、ＲＡＭ４のワークエリアに一時的に記憶する（ステップＳ５４）。なお、ステップＳ５３の複写牽制画像生成処理は、上記第１の実施の形態における複写牽制画像生成処理（図１１）と同様の処理であり、ここでは詳細な説明を省略する。
【０１１６】
さらに、ＣＰＵ２は、印刷装置６により印刷すべき帳票に係る帳票フォームデータと印刷データを、各々帳票フォームデータファイル５ｃ、印刷データファイル５ｄから読み出して合成することにより、帳票印刷用データを生成する（ステップＳ５５）。そして、ＣＰＵ２は、ステップＳ２３で生成した帳票印刷用データと、ステップＳ２２で生成した複写牽制画像とを合成して合成帳票データを生成し（ステップＳ５６）、生成した合成帳票データに基づいて、印刷装置６によって帳票の印刷を実行させる（ステップＳ５７）。
【０１１７】
図２２は、図２１のステップＳ４８に示す柄画像生成処理を詳細に示すフローチャートである。
ＣＰＵ２は、まず、ＲＯＭ３に格納された柄テーブル３３から、柄選択部７１６の入力内容に該当する柄データを取得する（ステップＳ６１）。
【０１１８】
続いて、ＣＰＵ２は、ＲＯＭ３に格納された配色テーブル３４から、色選択部７２１の入力内容に該当する残存柄画像色のデータを取得し、取得したデータに従って残存用ドットデータを生成する（ステップＳ６２）。
ここで、残存用ドットデータとは、残存柄画像色のデータに従ってドットが配置された、柄データと同サイズの画像データである。
【０１１９】
ここで、ＣＰＵ２は、ステップＳ６１で取得した柄データとステップＳ６２で生成した残存用ドットデータとのＡＮＤ演算を行って、残存柄画像を生成し（ステップＳ６３）、生成した残存柄画像をＲＡＭ４のワークエリアに記憶する（ステップＳ６４）。
【０１２０】
ステップＳ６２〜Ｓ６３の処理によれば、例えば、柄データが「桜柄」、残存柄画像色が「大：マゼンタ」であった場合、マゼンタ色の大ドットが全体に配置された残存用ドットデータが生成され、柄データとＡＮＤ演算されることにより、マゼンタ色の大ドットで構成される「桜柄」の残存柄画像が生成される。
【０１２１】
次いで、ＣＰＵ２は、ＲＯＭ３に格納された配色テーブル３４から、色選択部７２１の入力内容に該当する消失柄画像色のデータを取得し、取得したデータに従って消失用ドットデータを生成する（ステップＳ６５）。ここで、消失用ドットデータとは、消失柄画像色のデータに従ってドットが配置された、柄データと同サイズの画像データである。
【０１２２】
そして、ＣＰＵ２は、ステップＳ６３における処理と同様に、ステップＳ６１で取得した柄データとステップＳ６５で生成した消失用ドットデータとのＡＮＤ演算を行って消失柄画像を生成し（ステップＳ６６）、生成した消失柄画像をＲＡＭ４のワークエリアに記憶する（ステップＳ６７）。
【０１２３】
図２３は、図２２に示す処理によって残存柄画像と消失柄画像を生成する様子を説明する図であり、（ａ）は残存柄画像を生成する様子を示し、（ｂ）は消失柄画像を生成する様子を示す。
【０１２４】
図２３（ａ）に示すように、配色テーブル３４の残存柄画像色のデータに従って生成された残存用ドットデータ１１１は、大ドットのみが全面に配置されて構成され、大ドットの色は残存柄画像色のデータにより定められる色である。
一方、柄データ１１０は白黒二値の画像データであり、黒色の部分は桜の花の形状となっている。
【０１２５】
そして、柄データ１１０と残存用ドットデータ１１１とをＡＮＤ演算することにより、残存柄画像１１２が生成される。残存柄画像１１２において、柄データ１１０において黒色であった部分はドットが無いので無色となり、柄データ１１０において白色であった部分には、残存用ドットデータ１１１と同様の大ドットが配される。
【０１２６】
また、図２３（ｂ）に示すように、配色テーブル３４の消失柄画像色のデータに従って生成された消失用ドットデータ１１３は、大ドットと小ドットが全面に配置されて構成され、大ドットおよび小ドットの色は消失柄画像色のデータにより定められる色である。
【０１２７】
この消失用ドットデータ１１３と柄データ１１０とをＡＮＤ演算することにより、消失柄画像１１４が生成される。消失柄画像１１４において、柄データ１１０において黒色であった部分はドットが無いので無色となり、柄データ１１０において白色であった部分には、消失用ドットデータ１１３と同様の大ドットおよび小ドットが配される。
【０１２８】
このように、ユーザが複写牽制画像編集画面７２において選択入力した色で、残存柄画像と消失柄画像とを生成し、これら残存柄画像と消失柄画像とを用いた複写牽制画像を作成することができる。
【０１２９】
以上のように、本発明を適用した第２の実施の形態によれば、上記第１の実施の形態における効果に加えて、複写牽制画像を構成する残存柄画像と消失柄画像について、柄と色とをユーザが望むとおりに組み合わせることができるので、複写牽制画像のデザインの自由度をよりいっそう高めることができる。
【０１３０】
なお、上記第２の実施の形態において、残存用ドットデータと消失用ドットデータとを生成する際の大ドットと小ドットのサイズは、予め定められたサイズとしても良いし、或いは、複写牽制画像の用途に応じて適宜決定されるものとしても良い。すなわち、原本の帳票（印刷物）で視認できる文字や図形が複写後に消失するような複写牽制画像を作成する場合、残存用ドットデータと消失用ドットデータの大ドットのサイズは共通のサイズとすれば良いが、ドットサイズを変更することで、原本で視認できない文字や図形が複写後に出現するような複写牽制画像を作成することも可能となる。
【０１３１】
また、上記第１および第２の実施の形態においては、原本の帳票（印刷物）で視認できる文字や図形が複写後に全て消失する例について説明したが、本発明はこれに限定されるものではなく、例えば、文字や図形の一部が複写後に消失するような複写牽制画像を作成することも勿論可能である。以下、この例について第３の実施の形態として説明する。
【０１３２】
［第３の実施の形態］
図２５は、本発明を適用した第３の実施の形態においてＲＯＭ３内に格納される図形テーブル３５の構成を模式的に示す図である。
本第３の実施の形態においては、上記第１の実施の形態における柄画像テーブル３２（図３）に代えて、図形テーブル３５をＲＯＭ３に格納する構成とし、その他の各部の構成については、上記第１の実施の形態と同一の構成によってなるので、同符号を付して説明を省略する。
【０１３３】
図２５に示すように、図形テーブル３５には、各種の図形データが格納され、各図形データにはその名称として図形種類が設定されている。
本第３の実施の形態における帳票出力装置１は、複写牽制画像として、各種の図形で構成される複写牽制図形を作成し、印刷するものである。
【０１３４】
図形データは、四角形、三角形、円、或いは樹木の意匠等を象った形状の図形データである。これら図形データは、上記第１および第２の実施の形態における残存柄画像や消失柄画像と同様に、大ドットのみ、または大ドットと小ドットとにより構成されている。
【０１３５】
図２６は、本発明を適用した第３の実施の形態における帳票出力装置１により実行される印刷処理を示すフローチャートである。また、図２７は、図２６に示す印刷処理の実行中に表示部７に表示される複写牽制図形編集画面７３の一例を示す図である。
【０１３６】
図２７に示す複写牽制図形編集画面７３には、複写牽制図形に用いる図形を入力するための図形選択部７３３、図形選択部７３３で選択した図形のサイズを入力するための図形サイズ入力部７３４、図形選択部７３３で選択した図形の印刷色を入力するための色選択部７３２が配置されている。
【０１３７】
色選択部７３２としては、図２７に示すように、利用可能な色が一覧表示されたカラーパレットが配置されており、入力部８が有するポインティングデバイスの操作によって任意の色を指定できる。また、図形選択部７３３においては、ポップアップボタンの操作に応じて一覧表示される図形の候補から任意の図形を選択入力することができる。なお、ポップアップボタンの操作に応じて一覧表示される図形の候補は、図形テーブル３５に格納された図形種類に従う。
【０１３８】
また、複写牽制図形編集画面７３には、色選択部７３２、図形選択部７３３、および図形サイズ入力部７３４における入力内容を確定するための確定指示ボタン７３５が配置される。
【０１３９】
さらに、複写牽制図形編集画面７３にはプレビュー部７３１が配置される。プレビュー部７３１には、確定指示ボタン７３５の操作により確定された入力内容に従って作成された複写牽制図形が概略表示される。
【０１４０】
ＣＰＵ２は、図２６に示す印刷処理を開始すると、まず、複写牽制画像編集画面７３を表示部７の画面上に表示させる（ステップＳ７１）。
次いで、ＣＰＵ２は、複写牽制画像編集画面７３の色選択部７３２、図形選択部７３３、および図形サイズ入力部７３４の各部において入力が行われ、確定指示ボタン７３５の操作により入力内容が確定されると、色選択部７３２における文字入力を受け付けてＲＡＭ４内のワークエリアに一時的に格納し（ステップＳ７２）、同様に、図形選択部７３３における図形の選択入力（ステップＳ７３）、図形サイズ入力部７３４における図形サイズの入力（ステップＳ７４）をそれぞれ受け付けて、ＲＡＭ４内のワークエリアに格納する。
【０１４１】
ここで、ＣＰＵ２は、ＲＯＭ３に格納された図形テーブル３５から、図形選択部７３３の入力内容に該当する図形データを読み出し、当該画像データの色を色選択部７３２の入力内容に該当する色に設定し、図形選択部７３３の入力内容にあわせて拡大または縮小して、所定位置に展開配置することによってプレビュー用の複写牽制図形を生成し、プレビュー部７３１に表示する（ステップＳ７５）。
【０１４２】
ここで、ＣＰＵ２は、入力部８が有するポインティングデバイスの操作によって、プレビュー部７３１における図形の移動が指示されると、指示内容を取得して複写牽制図形中における図形の配置位置を示す情報をＲＡＭ４のワークエリアに格納するとともに、プレビュー部７３１における表示を更新する（ステップＳ７６）。
【０１４３】
そして、ＣＰＵ２は、複写牽制図形生成処理を実行し、ＲＯＭ３に格納された図形テーブル３５から、図形選択部７３３の入力内容に該当する図形データを読み出し、当該画像データの色を色選択部７３２の入力内容に該当する色に設定し、図形選択部７３３の入力内容にあわせて拡大または縮小して、ＲＡＭ４のワークエリアに格納された各図形の配置位置を示す情報に従って各図形データを配置することによって複写牽制図形を生成する（ステップＳ７７）。その後、ＣＰＵ２は、ステップＳ７７で生成した複写牽制図形を印刷装置６によって用紙に印刷させる（ステップＳ７８）。
【０１４４】
ここで、図２８（ａ）および（ｂ）に、本発明を適用した第３の実施の形態において帳票出力装置１により生成される複写牽制図形の例を示す。
図２８（ａ）に示す複写牽制図形には、符号Ａ，Ｂ，Ｃで示す３種類の図形が含まれている。このうち、図形Ａおよび図形Ｃは、上記第１の実施の形態における消失画像と同様に、複写によって変色する図形であり、このうち図形Ａは変色後に無色になる図形である。また、図形Ｂは、上記第１の実施の形態における残存画像と同様に、複写によって変色することのない図形である。また、図形Ｂは、原本の印刷物において図形Ａと同色である。
【０１４５】
図２８（ａ）に示す複写牽制図形を複写すると、図形Ａが消失し、図形Ｂはそのまま変化せず、図形Ｃは変色するので、図形Ａの消失に伴って、原本の状態では図形Ａに紛れていた図形Ｂが明瞭に現れる。
従って、図２８（ａ）に示す複写牽制図形は、原本の印刷物においては円と三角形を組み合わせた図形に見えるが、複写機により複写した複製物においては、四角形と三角形とを組み合わせた図形となる。
【０１４６】
図２８（ｂ）に示す複写牽制図形には、背景となる図形Ｄと、樹木の葉の形状の図形Ｅと、樹木の幹の形状の図形Ｆとが含まれる。
このうち、図形Ｄと図形Ｆとは上記第１の実施の形態における残存画像と同様に、複写によって変色することのない図形であり、図形Ｅは、上記第１の実施の形態における消失画像と同様に、複写によって変色する図形である。さらに、図形Ｅは、複写によって変色した後は図形Ｄと同色になる。
図２８（ｂ）に示す複写牽制図形を複写すると、図形Ｆが変色して図形Ｄと同色になるので、図形Ｅが消失したかのように見える。
【０１４７】
このように、複写により消失・変色または残存する複数の図形を含んでなる複写牽制図形を印刷することにより、複写によって図形が変形するかのように見える印刷物を作成することができる。このような印刷物は視覚的な変化が著しいので、複写を強く牽制する効果が期待できる。
【０１４８】
なお、本第３の実施の形態における複写牽制図形は、上記第１および第２の実施の形態における複写牽制画像と同様に、見積書等の各種帳票上に印刷して使用することも勿論可能である。
【０１４９】
また、本第３の実施の形態においては、複写牽制図形に用いる各図形データの色を、複写牽制図形編集画面７３（図２７）の色選択部７３２の入力内容により決定するものとしたが、本発明はこれに限定されるものではなく、例えば、図９の図表に示すような色の明度に従って自動的に決定するものであっても良いし、或いは、複写牽制図形編集画面７３において、図形選択部７３３で選択された図形に適した色を案内する表示を行っても良い。この場合、図２８（ａ）に示す図形Ａのように、複写により消失する図形には消失しやすい色を用いることができ、複写を牽制する効果を高められる。
【０１５０】
また、複写牽制図形編集画面７３において、図形サイズ入力部７３４で入力した図形の背景を設定するための入力部を設け、図２６に示す印刷処理において図形の背景に係る処理を行うようにすることも可能であり、その他の細部についても適宜変更可能であることは勿論である。
【０１５１】
【発明の効果】
本発明によれば、カラー複写機で複写すると一部が変色するという格別な視覚的効果を生み出すための複写画像を印刷することができる。また、異なるサイズのドットを用いることで複写牽制画像の効果を生み出すので、各ドットに任意の色を用いることが可能となり、複写牽制画像のデザインの自由度を高めることができる。
【０１５２】
また、複写機によって複写される際に変色領域と非変色領域が同色で出力される複写牽制画像が印刷されるので、変色領域が消失するという格別な視覚的効果を誘起し、複写を強く牽制することができる。
【０１５３】
また、複写牽制画像が複写された際に、非変色領域を著しく変色させることができるので、複写を強く牽制することができる。
【０１５４】
また、大ドットよりも小さなドットを用いて大ドットを印刷することができるので、印刷時にドットサイズを制御する際の処理を効率よく行うことが可能となる。また、大ドットの印刷色として、原色に加えて中間色を用いることが可能となり、複写牽制画像のデザインの自由度を高めることができる。
【０１５５】
また、大ドットの印刷色として中間色を用いることが可能となり、複写牽制画像のデザインの自由度を高めることができる。
【図面の簡単な説明】
【図１】本発明を適用した実施の形態における帳票出力装置１の構成を示すブロック図である。
【図２】図１のＲＯＭ３に格納される文字属性テーブル３１の構成例を模式的に示す図である。
【図３】図１のＲＯＭ３に格納される柄画像テーブル３２の構成例を模式的に示す図である。
【図４】図１のＲＡＭ４内の印刷メモリ４１の構成を模式的に示す図である。
【図５】図１の記憶装置５内のファイル構成を模式的に示す図である。
【図６】図１の帳票出力装置１により作成される複写牽制画像中における文字列の配置状態の例を示す図である。
【図７】本第１の実施の形態において生成される複写牽制画像の構成を拡大して例示する図であり、（ａ）は消失画像の例を示し、（ｂ）は残存画像の例を示し、（ｃ）は消失画像の別の例を示し、（ｄ）は残存画像の別の例を示す。
【図８】図７（ａ）〜（ｄ）に示す消失画像と残存画像とを用いた複写牽制画像の一例を示す図である。
【図９】一般的な印刷装置で利用される色の明度を示す図表である。
【図１０】図１の帳票出力装置１により実行される印刷処理を示すフローチャートである。
【図１１】図１０のステップＳ２１に示す複写牽制画像生成処理を詳細に示すフローチャートである。
【図１２】図１０に示す印刷処理の実行中に表示部７に表示される複写牽制画像編集画面７１の一例を示す図である。
【図１３】図４の帳票フォームデータファイル５ｃに格納される帳票フォームデータの例を示す図である。
【図１４】図４の帳票データファイル５ｄに格納される印刷データの例を示す図である。
【図１５】図１３に示す帳票フォームデータと図１４に示す印刷データとを合成して得られる帳票印刷用データの例を示す図である。
【図１６】帳票出力装置１により生成される複写牽制画像の例を示す図である。
【図１７】図１５に示す帳票印刷用データと図１６に示す複写牽制画像とを印刷して得られる帳票の例を示す図である。
【図１８】図１７に示す帳票を複写機で複写して得られる複製物の状態を示す図である。
【図１９】本発明を適用した第２の実施の形態においてＲＯＭ３に格納される柄テーブル３３の構成を模式的に示す図である。
【図２０】本発明を適用した第２の実施の形態においてＲＯＭ３に格納される配色テーブル３４の構成を模式的に示す図である。
【図２１】本発明を適用した第２の実施の形態における帳票出力装置１により実行される印刷処理を示すフローチャートである。
【図２２】図２１のステップＳ４８に示す柄画像生成処理を詳細に示すフローチャートである。
【図２３】図２２に示す処理によって残存柄画像と消失柄画像を生成する様子を説明する図であり、（ａ）は残存柄画像を生成する様子を示し、（ｂ）は消失柄画像を生成する様子を示す。
【図２４】図２１に示す処理の実行中に表示部７に表示される複写牽制画像編集画面７２の一例を示す図である。
【図２５】本発明を適用した第３の実施の形態においてＲＯＭ３に格納される図形テーブル３５の構成を模式的に示す図である。
【図２６】本発明を適用した第３の実施の形態における帳票出力装置１により実行される印刷処理を示すフローチャートである。
【図２７】図２６に示す印刷処理の実行中に表示部７に表示される複写牽制図形編集画面７３の一例を示す図である。
【図２８】本発明を適用した第３の実施の形態において帳票出力装置１により生成される複写牽制図形の例を示す図である。
【符号の説明】
１  帳票出力装置
２  ＣＰＵ
３  ＲＯＭ
３１  文字属性テーブル
３２  柄画像テーブル
３３  柄テーブル
３４  配色テーブル
３５  図形テーブル
４  ＲＡＭ
４１  印刷メモリ
４１ａ  印刷データメモリ
４１ｂ  フォームデータメモリ
４１ｃ  合成印刷データメモリ
５  記憶装置
５ａ  業務アプリケーションファイル
５ｂ  プログラムファイル
５ｃ  帳票フォームデータファイル
５ｄ  印刷データファイル
５ｅ  文字繰返し基準領域メモリ
５ｆ  文書管理ファイル
６  印刷装置
７  表示部
８  入力部
９  伝送制御部
１０  バス
【図１】
0003941525.tif 000002
【図２】
0003941525.tif 000003
【図３】
0003941525.tif 000004
【図４】
0003941525.tif 000005
【図５】
0003941525.tif 000006
【図６】
0003941525.tif 000007
【図７】
0003941525.tif 000008
【図８】
0003941525.tif 000009
【図９】
0003941525.tif 000010
【図１０】
0003941525.tif 000011
【図１１】
0003941525.tif 000012
【図１２】
0003941525.tif 000013
【図１３】
0003941525.tif 000014
【図１４】
0003941525.tif 000015
【図１５】
0003941525.tif 000016
【図１６】
0003941525.tif 000017
【図１７】
0003941525.tif 000018
【図１８】
0003941525.tif 000019
【図１９】
0003941525.tif 000020
【図２０】
0003941525.tif 000021
【図２１】
0003941525.tif 000022
【図２２】
0003941525.tif 000023
【図２３】
0003941525.tif 000024
【図２４】
0003941525.tif 000025
【図２５】
0003941525.tif 000026
【図２６】
0003941525.tif 000027
【図２７】
0003941525.tif 000028
【図２８】
0003941525.tif 000029